(57)【要約】【発明が解決する課題】見栄えがよくて、簡単にスリッパに装着することができると共に、安価に供給できるスリッパの中敷きを提供する。【課題を解決する手段】スリッパの中敷き１００の底部先端に切り込み１３と、底部１２にスリッパの内縁に沿った折り線１４を設け、甲部１１の頂部１５は開放された状態として、頂部１５の開放された一方端は他方端よりも長くして、両端部を重ねて使用することができるスリッパの中敷きとした。【選択図】図１
2004358050.tif 000002
【特許請求の範囲】
【請求項１】
底部先端に切り込みと、底部にスリッパの内縁に沿った折り線を有し、甲部の頂部は開放されており、頂部の開放された一方端は他方端よりも長く、両端部を重ねて使用することを特徴とするスリッパの中敷き。
【請求項２】
底部先端に切り込みと、底部にスリッパの内縁に沿った折り線を有し、底部の中心部から開放されており、底部の開放された一方端に糊面を設け、他方端を張り合わせて使用することを特徴とするスリッパの中敷き。
【請求項３】
スリッパの中敷きの甲部の頂部を切断して両翼に開いた形状であって、底部の先端に切り込みを設け、底部の上部両翼に甲部の頂部真ん中から開放された一方端と、甲部の頂部真ん中から開放された他方端に重なり部分を設け、底部の両側にスリッパの内縁に沿った折り線を設けたことを特徴とするスリッパの中敷きの型。
【請求項４】
スリッパの中敷きの底部を中心部から開放して、一方端を開放部とし、他方端に糊代を設け、開放された両端部にスリッパの内縁に沿った折り線を設けたことを特徴とするスリッパの中敷きの型。
【請求項５】
エンボス加工を施したことを特徴とする請求項１から請求項４のいずれかに記載のスリッパの中敷き。
【請求項６】
スリッパの中敷きが和紙で製造されていることを特徴とする請求項１から請求項５のいずれかに記載のスリッパの中敷き。
【発明の詳細な説明】
【０００１】
【発明の属する技術分野】本発明は、病院、旅館等で室内履きとして使用されるスリッパの中敷きに関わる。
【０００２】
【従来の技術】病院や旅館等で不特定多数の人が使用するスリッパは、水虫に罹患している人や皮膚疾患に罹患している人が使用することもあり、そのような疾患が感染する恐れもある。このように不特定多数の人が使用するスリッパを使用する場合は、常に、感染の不安を抱きながら使用する人も多く、また、衛生上も好ましいものではない。このような不安や、衛生向上の目的で様々なタイプのスリッパの中敷きが考案されている。
【０００３】
特許文献１においては、第４頁段落（［０００５］）に、「スリッパの中底の表面が覆える形状及び大きさに裁断された不織布シートの裏面に、その長手方向の略中心にそって後端側から先端側へ延びる両面接着テープが貼着されていることを特徴とするものである。」スリッパの中敷きが開示されている。特許文献２は、請求項１において、「吸水性、通気性の高い不織布を図２のように底部と甲部の型を裁断した物を、カラー糸によって縫製することを特徴とする専用ＢＯＸ入り中敷きスリッパ。」が開示されている。
【０００４】
スリッパの中敷きについては、上記のようにスリッパの底の形状に合わせた不織布シートの裏面に両面接着テープを貼着したものや甲部と底部を裁断して縫製した物が開示されている。しかし、底の部分のみでは、指先部分を覆うものはなく、入浴後にスリッパを使用した場合に、指先の水分がスリッパの甲部を濡らし、不快感を払拭するものではない。また、両面接着テープは体温で糊部分が柔らかくなり、接着部分が捩れて足裏に不快感を与えるものである。また、甲部と底部を裁断して縫製することは、人手がかかり単価が高くなるという問題があった。そこで見栄えがよくて、簡単にスリッパに装着することができると共に、安価に供給できるスリッパの中敷きの出現が望まれていた。
【０００５】
【特許文献１】登録実用新案第３０５６８６７号公報
【特許文献２】登録実用新案第３０７０９３４号公報
【０００６】
【発明が解決する課題】本発明は、上記事実に鑑みて、見栄えがよくて、簡単にスリッパに装着することができると共に、安価に供給できるスリッパの中敷きを提供するものである。
【０００７】
【課題を解決する手段】本発明者は上記課題を解決するために、鋭意研究を重ねた結果、スリッパの中敷きの裁断をするための形を簡単にして、しかも見栄えがよく、扱いやすいスリッパの中敷きの作成に成功した。
【０００８】
本発明の課題を解決する手段は、底部先端に切り込みと、底部にスリッパの内縁に沿った折り線を有し、甲部の頂部は開放されており、頂部の開放された一方端は他方端よりも長く、両端部を重ねて使用することを特徴とするスリッパの中敷きである。スリッパの中敷きの底部先端に切り込みを入れることによって、スリッパの中敷きの先端部のたわみをなくすと共に、足の指先がぬれている場合も乾きやすく、暑くても蒸れることがない。スリッパの中敷きの底部にスリッパの内縁に沿った折り線をつけることによって、スリッパの甲部で中敷きが固定され、安定に使用することができる。開放された甲部の一方端は他方端よりも長く、両端部が重なるようにすることによって、中敷きの甲部をスリッパの甲部に合わせて使用することができ、スリッパに比べて、中敷きの甲部が小さかったり、大きすぎたりすることがない。
【０００９】
本発明の課題を解決する別の手段は、底部先端に切り込みと、底部にスリッパの内縁に沿った折り線を有し、底部の中心部から開放されており、底部の開放された一方端に糊面を設け、他方端を張り合わせて使用することを特徴とするスリッパの中敷きである。スリッパの中敷きの開放された底部の一方端に予め両面テープ又は糊を付けて置くことによって、使用時に、底部の一方端側の糊面のシールを剥がして他方端を貼り合わせることによって、簡単に使用することができる。
【００１０】
本発明の課題を解決する別の手段は、スリッパの中敷きの甲部の頂部を切断して両翼に開いた形状であって、底部の先端に切り込みを設け、底部の上部両翼に甲部の頂部真ん中から開放された一方端と、甲部の頂部真ん中から開放された他方端に重なり部分を設け、底部の両側にスリッパの内縁に沿った折り線を設けたことを特徴とするスリッパの中敷きの型である。スリッパの中敷きの型を打ち抜いて、複数枚ずつ袋や箱に入れて保存し、使用時に、開放された甲部を合わせてスリッパの甲部内に入れるだけで簡単に使用することができる。スリッパの中敷きの底部に、スリッパの内縁に沿った折り線を設けたことによって、スリッパの中敷きがスリッパの底部に密着し、さらに甲部で支えられて、スリッパから抜けにくくなる。
【００１１】
本発明の課題を解決する別の手段は、スリッパの中敷きの底部を中心部から開放して、一方端を開放部とし、他方端に糊代を設け、開放された両端部にスリッパの内縁に沿った折り線を設けたことを特徴とするスリッパの中敷きの型である。スリッパの中敷きの型を打ち抜いて、底部に糊代に糊を付けてフィルムを貼着するか、両面テープを貼着して複数枚ずつ袋や箱に入れて保存し、使用時に、開放された底部の両端を貼り合わせてスリッパの甲部内に入れるだけで簡単に使用することができる。スリッパの中敷きにスリッパの内縁に沿った折り線を設けたことによって、スリッパの中敷きがスリッパの底部に密着して抜けにくくなる。
【００１２】
本発明の課題を解決する別の手段は、エンボス加工を施したことを特徴とする請求項１から請求項４のいずれかに記載のスリッパの中敷きである。中敷きにエンボス加工を施すことによって、足に接触する面の感触を良くするとともに、乾きを早くすることができる。
【００１３】
本発明の課題を解決する別の手段は、スリッパの中敷きが和紙で製造されていることを特徴とする請求項１から請求項５のいずれかに記載のスリッパの中敷きである。スリッパの中敷きに和紙を使用することによって、見栄えがよくなり、使用した時の感触を良くすることができる。
【００１４】
【発明の実施の態様】以下に本発明の実施の態様を図面を用いて説明するが、本発明のスリッパの中敷きは、要旨に含まれる範囲において以下の実施例に限定されるものではない。
【００１５】
本発明のスリッパの中敷き１００は、図１に示すように、中敷きの底部先端に切り込み１３と、底部１２にスリッパの内縁に沿った折り線１４を設け、甲部１１の頂部１５は開放させて、甲部１１の開放された一方端を他方端よりも長くして重なり部分１６を設け、両端部が重なるようにした。このように底部１２の先端に切り込み１３を入れることによって、スリッパの先から中敷きがでることがなく、スリッパの中敷きの先端部のたわみをなくすことができる。また、甲部の頂部を重ね合わせることによって、スリッパの大きさ、足の大きさに合わせて重なる位置をずらせることができる。
【００１６】
本発明のスリッパの中敷きの材料は、布、不織布、紙、和紙などで製造することができるが、使い捨ての面、環境汚染の面から、後処理の容易な紙や和紙を用いるのが望ましい。特に、花柄等の色彩豊かな和紙で製造したスリッパの中敷きを無地のスリッパに装着することによって、無地のスリッパが美しく、気持ちの良いスリッパに変身させることができる。さらに、スリッパの中敷きの底部にエンボス加工を施したり、あるいは孔を穿設して通気性を高めて、履き心地をよくすることができる。また、スリッパの中敷きの材料には、予め抗菌剤を染みこませたものを用いても良い。
【００１７】
図２は本発明のスリッパの中敷き１００の型である。スリッパの中敷きの甲部１１の頂部１５を切断して両翼に開いた形状をしている。スリッパの中敷きの底部１１の先端に切り込み１３を設け、底部１２の両翼に甲部１１の頂部１５真ん中から開放された一方端と、甲部１１の頂部１５真ん中から開放された他方端に重なり部分１６を設けた形状となっている。底部１２の両側にはスリッパの内縁に沿った折り線１４を設けて、使用時にスリッパの底部に沿って密着し、底部と甲部とに引っかかるようにして、中敷きがスリッパから抜けにくくしたものである。また、スリッパの中敷き１００の底部１２にエンボス加工２０を施すことによって、足裏に当たる感触を和らげると共に、通気性と乾燥性を高めることが期待される。
【００１８】
図３は本発明のスリッパの中敷き１００の別の型である。底部１２の先端に切り込み１３を切り取らずに切り込みとした点で図２とは異なり、底部１２の先端部に切り込み線１７を入れた。切り込み線１７はそのまま使用してもよく、あるいはスリッパの形状に合わせて、装着する時に先端部の切り込み線１７から折り返して使用しても良い。底部１２の両翼に甲部１１の頂部１５真ん中から開放された一方端と、甲部１１の頂部１５真ん中から開放された他方端の重なり部分１６を設けた形状となる。底部１２の両側にはスリッパの内縁に沿った折り線１４を設けて、使用時にスリッパの底部に密着し、スリッパの甲部に中敷きが引っかかるようにして、中敷きがスリッパから抜けにくくしたものである。
【００１９】
図４はスリッパの中敷き１００の底部１２を中心部から開放して、一方端を開放部１８とし、他方端に糊代１９を設けた型である。糊代１９には糊を付着して乾燥しないように乾燥防止用のフィルムを張った状態とするか、両面テープを貼着した状態にしても良い。開放された両端部にはスリッパの内縁に沿った折り線１４が設けられている。これを折り畳んで底部１２の他方端に設けられた糊代１９を貼着すると図５に示すように甲部１１が繋がったスリッパの中敷きとなる。このように形作られた中敷きを数枚ずつ箱や袋に入れてスリッパの側に配置することにより、使用時に形を整えて随時使用することができる。
【００２０】
図６は本発明のスリッパの中敷き１００をスリッパ２１に装着した状態を例示する。スリッパの中敷き１００に設けたスリッパの内縁２４に沿った折り線１４をスリッパの底部に沿って入れることによって、中敷き１００がスリッパの底部に密着すると共に、スリッパの甲部２２とスリッパの底部の内縁２４の間に収まり、スリッパの中敷き１００が安定して使用することができる。
【００２１】
【発明の効果】スリッパの中敷きの底部先端に切り込みを入れることによって、指先がぬれている場合も乾きやすく、暑くても蒸れることがない。さらに、様々な形のスリッパの先端部の形状に合わせて中敷きを調整することができる。
【００２２】
中敷きの底部にスリッパの内縁に沿った折り線をつけることによって、スリッパの甲部と底部でスリッパの中敷きが支えられて、安定に使用することができる。  中敷きの開放された甲部の一方端は他方端よりも長く、両端部が重なるようにすることによって、スリッパの大小を問わず、中敷きの甲部をスリッパに合わせて使用することができ、スリッパに比べて、中敷きの甲部が小さかったり、大きすぎたりすることがない。
【００２３】
スリッパの中敷きの開放された甲部又は底部の一方側に予め両面テープ又は糊を付けて置くことによって、使用時に糊面のシールを剥がして貼り合わせ、簡単に使用することができる。さらに、中敷きにエンボス加工を施すことによって、足に接触する面の感触を良くするとともに、乾きを早くすることができる。また、スリッパの中敷きに和紙を使用することによって、見栄えがよくなり、使用する場合の感触も良くなる等の効果を有している。
【図面の簡単な説明】
【図１】スリッパの中敷きの斜視図。
【図２】スリッパの中敷きの型の上面図。
【図３】スリッパの中敷きの型の上面図。
【図４】スリッパの中敷きの型の上面図。
【図５】スリッパの中敷きの斜視図。
【図６】スリッパにスリッパの中敷きを装着した斜視図。
【符号の説明】
１００：スリッパの中敷き
１１：甲部
１２：底部
１３：切り込み
１４：折り線
１５：頂部
１６：重なり部分
１７：切り込み線
１８：開放部
１９：糊代
２０：エンボス加工
２１：スリッパ
２２：スリッパの甲部
２３：スリッパの底部
２４：スリッパの内縁
【図１】
2004358050.tif 000003
【図２】
2004358050.tif 000004
【図３】
2004358050.tif 000005
【図４】
2004358050.tif 000006
【図５】
2004358050.tif 000007
【図６】
2004358050.tif 000008